(57)【特許請求の範囲】
【請求項１】
太陽電池上に、文字、模様等を施した光を透過する透光文字板が形成されてなる時計用文字板において、前記模様として、それぞれ色彩を有するストライプ模様、放射目模様、回折格子模様、幾何学模様、絵柄模様等の、前記透光文字板の面積に均等配分的に形成される模様を少なくとも一種類施し、この模様を施した透光文字板の光の透過率が少なくとも３５％であることを特徴とする時計用文字板。
【発明の詳細な説明】
【０００１】
【発明の属する技術分野】
太陽電池を備える時計の文字板に関する。
【０００２】
【従来の技術】
従来、太陽電池を有する時計において、太陽電池が独特の濃紫色を有するため、文字板の外観は黒っぽく見え決して心地の良いものではなかった。このため、その美観を高めるために種々工夫した技術が現れている。光を透過する透光文字板に白色，黄色，青色等の色を着色して使用したもの、透光文字板に梨地を施し表面を粗らし曇らせて使用したもの、又、特開平７ー２４４１７４号報にて開示された技術もその一つである。特開平７ー２４４１７４号報は太陽電池上にセラミックスからなる被覆部材を設け、このセラミックスの裏面に段差，凹溝，凹部等々の各種の形状を成形して太陽電池を見えないようにすると共にデザインをふやしかつ美観を高めたものである。
【０００３】
【発明が解決しようとする課題】
しかしながら従来技術は、単一色を有する透光文字板であるため、太陽電池の濃紫色の色合いを消し去る程度となっており、色調的にも単一色の文字板となっていた。又、模様を形成しても非常にシンプルな模様しか形成できず、またその種類においても少なく、従来の時計と比較すると美観やデザインの面で非常に見劣りのするものとなっており、太陽電池の存在を感じ取らせる域のでない文字板となっていた。本発明は上記問題を鑑みなされたもので、その目的とする所はストライプ状，放射目状，回折格子状，幾何学状，その他絵柄等の色彩を有する模様を各種形成して、下の太陽電池を見えなくすると共に従来の時計用文字板と同じ質感を感じさせる文字板を提供することにある。
【０００４】
【課題を解決するための手段】
本発明は、太陽電池上に、文字，模様等を施した光を透過する透光文字板が形成されてなる時計用文字板において、前記模様として、それぞれ色彩を有するストライプ模様，放射目模様，回折格子模様，幾何学模様，絵柄模様等の、前記透光文字板の面積に均等配分的に形成される模様を少なくとも一種類施したことを特徴とし、
【０００５】
更に、前記均等配分的に形成される模様を施した透光文字板の光の透過率が少なくとも３５％であることを特徴とするものである。
【０００６】
【発明の実施の形態】
透光文字板表面に、光の透過率が少なくても３５％の範囲内で、蒸着法，メッキ法，印刷法等の方法でそれぞれ色彩の有するストライプ状，放射目状，回折格子状，幾何学状，あるいは又各種の色合いを有する絵柄等の模様の透光文字板の面積に均等配分的に形成される模様を形成する。
【０００７】
【実施例】
本発明の実施例を図１〜図３及び表１に基づいて説明する。図１、図２は本発明実施例１の文字板である。図１は本発明実施例１の文字板の上面図、図２はその断面図を示す。足１を有する基板２上に太陽電池層３が形成され、その上にストライプ状の模様５を有する透光文字板４を形成して時計用文字板ができあがっている。本実施例の透光文字板４はガラス入りのエポキシ樹脂の平板で形成され、半透明白色の色調をなし、その光の透過率が８０％のものである。この透光文字板４は、その上面に蒸着法で金属による銀色を呈するストライプ模様５を５５％の面積にわたって形成し、更に印刷法で黒色を呈する時字６を印刷形成し、透光文字板全体の光の透過率がほぼ３５％になっているものである。
【０００８】
上記の文字板にあっては、透光文字板が白色半透明であることによって外観的に太陽電池は薄い藤色を呈し、かつその色を呈する部分が縦目線状に非常に狭い面積でかつ全体的に分散したかたちとなり、更に面積の５５％に渡り均等配分的に形成した銀色を呈するストライプ模様が非常に目立つ形で視認されるため薄い藤色を呈する部分がほとんど目立たなくなり、一見した状態では全く太陽電池の存在を感じさせない文字板となる。
【０００９】
図３は本発明実施例２の文字板の上面図を示す。実施例１と同様に基板上に太陽電池層を形成し、その上に放射目模様を施した透光文字板４を形成して完成文字板としたものである。この透光文字板４は、光の透過率が９８％の透明アクリル樹脂の平板で形成され、その下面側に下面の６４％の面積に渡って金属による金色を呈する放射目模様７を蒸着法で形成し、更に黒色を呈する時字８を印刷形成したものである。そしてこの透光文字板全体の光りの透過率がほぼ３５％になっているものである。
【００１０】
上記実施例２の文字板においては、放射目模様の隙間の広い部分において部分的に太陽電池の濃紫色を呈する部分が視認されるが、しかし光り輝く金色を呈する放射目模様の方が広い範囲で非常に目立って感じるため、非常に小さい面積でかつ分散して視認される濃紫色部分がほとんど目立たなくなり、一見した状態では全く太陽電池の存在感を有しない時計として視認される。また、本実施例では透明樹脂板の下面側に模様を形成してあるためその模様が浮き出た感じに視認され立体感を感じさせる。
【００１１】
上記二つの実施例は何れも一種類の模様を形成したものであるが、透光文字板全体の光の透過率が少なくとも３５％の範囲内において二種類以上の模様を形成したものであっても良い。また、実施例は透光文字板の片方面にのみ模様を形成したものであるが両面に模様を形成しても良い。
【００１２】
次に表１は、透光文字板に各種模様を形成し光の透過率を変動させて時計の起動結果を見た表である。光の透過率を２５％、３０％、３５％、４０％、４５％、５０％と変動させてその時の時計の起動が社内規格に照らして合格のものを○、不合格のものを×と表示した。また、光の透過率は、太陽電池上に全く障害物を載せなかった時の起電力を１００として、模様を形成した透光文字板を太陽電池上に載せたときの起電力をその割合（％）で表し、その割合（％）を光の透過率とした。表１から光の透過率２５％、３０％のものは規定の時間値内に時計を起動させる起電力に達せず不合格と判定され、透過率３５％からのものは合格と判定された。
【００１３】
【表１】
0003644755.tif 000002
【００１４】
透光文字板に模様を形成することによって、その模様によって光が反射し光の透過率が悪くなる。また、形成される模様の面積が多くなるに従って光の透過率は低下する。しかしながら、透光文字板の面積に均等配分的に形成される模様を設ければ、上記実験の結果、発電効率が良くなって、光の透過率は３５％まで許容されることが判明した。本発明は光の透過率が少なくとも３５％の範囲内で各種の模様を多くの面積に渡って形成し、色彩豊かなデザインを創作するものである。
【００１５】
【発明の効果】
以上説明したように、本発明は光の透過率を少なくとも３５％としたことによって、今までに出来得なかった各種色彩有る模様が形成でき、従来の時計文字板とほとんど同じ質感を感じる文字板を提供することができる。また、そのデザインの種類も豊富に提供することができる。
【図面の簡単な説明】
【図１】本発明実施例１の文字板の上面図。
【図２】図１の断面図。
【図３】本発明実施例２の文字板の上面図。
【符号の説明】
１  足
２  基板
３  太陽電池層
４  透光文字板
５  ストライプ模様
６  時字
７  放射目模様
８  時字
【図１】
0003644755.tif 000003
【図２】
0003644755.tif 000004
【図３】
0003644755.tif 000005